(57)【特許請求の範囲】
【請求項１】
犬の３点骨盤骨切術において、寛骨の骨切後に使用され、腸骨にスクリュウ固定する腸骨側部と、坐骨にスクリュウ固定する坐骨側部と、前記腸骨側部および前記坐骨側部を連結する接続部とからなる骨盤矯正プレートであり、前記腸骨側部および前記坐骨側部は、いずれも仙骨側に寛骨の伸長方向に伸長する長辺を有し、仙骨側が長く、仙骨と反対側が短い略三角形であり、
前記腸骨側部で腸骨と対向する面と、前記坐骨側部で坐骨と対向する面は、両面のなす角θが、１０度≦θ≦６０度となり、前記仙骨側の長辺同士が離間し、かつ平行を維持する相対的位置関係を有し、
前記腸骨側部で腸骨と対向する面が、腸骨の凹状湾曲面に合う凸状湾曲面であり、前記坐骨部側で坐骨と対応する面が、坐骨の凸状湾曲面に合う凹状湾曲面である、
ことを特徴とする左側用または右側用の骨盤矯正プレート。
【請求項２】
前記腸骨側部および前記坐骨側部において、前記腸骨側部で腸骨と対向する面と、前記坐骨側部で坐骨と対向する面のそれぞれの前記略三角形は、３辺をそれぞれ延長して表れる頂点において、仙骨側で前記接続部と接する部分に相当する頂点の角度をαとし、仙骨と反対側の部分に相当する頂点の角度をβとし、仙骨側で前記接続部と離間する側の部分に相当する頂点の角度をγとすると、α＝９０度、２０度≦β≦７０度、γ＝９０度−βであることを特徴とする請求項１に記載の左側用または右側用の骨盤矯正プレート。
【請求項３】
前記仙骨側で前記接続部と離間する側の部分から前記仙骨と反対側の部分へと伸長する傾斜端縁が、略円弧状に凹んだ端縁である請求項２に記載の左側用または右側用の骨盤矯正プレート。
【請求項４】
前記腸骨側部で腸骨と対向する面、および前記坐骨側部で坐骨と対向する面のそれぞれは、凹凸面加工または溝加工を施されていることを特徴とする請求項１から３のいずれかに記載の左側用または右側用の骨盤矯正プレート。
【請求項５】
前記腸骨側部で腸骨と対向する面、および前記坐骨側部で坐骨と対向する面のそれぞれは、ハイドロキシアパタイトにより被覆されていることを特徴とする請求項１から４のいずれかに記載の左側用または右側用の骨盤矯正プレート。
【発明の詳細な説明】
【技術分野】
【０００１】
本発明は、犬の成長期に生ずる股関節形成不全による股関節の亜脱臼を防ぐために行う３点骨盤骨切術に使用される骨盤矯正プレートに関する。
【背景技術】
【０００２】
股関節形成不全とは、股関節の発育状態が悪いために、骨盤部の凹みが浅く、大腿骨の骨頭が慢性的な亜脱臼状態となる病気をいう。股関節形成不全は、先天的なものであるが、かかる股関節不全を患う犬が少なからず存在する。かかる股関節形成不全に対しては、骨盤部（寛骨）の骨を３箇所（恥骨、両方の坐骨と腸骨）を切断し股関節の凹みの側の角度を変え、大腿骨の骨頭を亜脱臼しにくくする整形手術（３点骨盤骨切術）が施される。
【０００３】
従来の骨盤矯正プレートは、例えば、米国特許第５９０４６８４号公報に記載されている。
【０００４】
従来の骨盤矯正プレートについて、図面を参照して説明する。図７は、従来の左側用の骨盤矯正プレートを示す斜視図である。右側用の骨盤矯正プレートは、左側用の骨盤矯正プレートに対する鏡像のように、構成される。
【０００５】
従来の骨盤矯正プレート（２５）は、四角形で平坦な腸骨接触面（２８）を有する腸骨側部（２６）と、四角形で平坦な坐骨接触面（２９）を有する坐骨側部（２７）とからなり、腸骨接触面（２８）の略中心と坐骨接触面（２９）の略中心を結ぶ線を軸として、腸骨接触面（２８）および坐骨接触面（２９）が、図示したように所定の角度だけそれぞれ回転しているように傾いて、一体に連結されている。そのため、突出した側は厚く、反対側は薄く形成されて、また、腸骨および坐骨と接触しない側は、１つの平面で構成されている。
【０００６】
３点骨盤骨切術時には、寛骨の骨切後に、腸骨に対して坐骨の位置関係を決定して、決定した相対的な位置関係となるように、骨盤矯正プレートをあてがい、スクリュウ固定孔（３０、３１）に通した固定スクリュウで腸骨および坐骨に固定する。
【０００７】
以上のように骨盤の矯正を行うが、仙骨と反対側には寛骨臼縁が突出しているため、従来の骨盤矯正プレートでは、適用することができる位置に制限が生じるという問題があった。そのため、大きさの異なる骨盤矯正プレートを多数、用意しておいて、手術中に最適な大きさを選択することにより、対応していた。
【０００８】
また、骨盤プレートが接触する腸骨の面は、緩やかな凹状湾曲面であり、骨盤プレートが接触する坐骨の面は、緩やかな凸状湾曲面である。これらに対して、従来の骨盤矯正プレートは、固定スクリュウで固定するまで、坐骨の向きを自由に調整することが可能となるように、腸骨接触面および坐骨接触面は平坦である。そのため、腸骨および坐骨とは、数カ所で接触した状態で前述のように固定される。
【０００９】
従って、左右の坐骨を、同じ高さで、かつ、対称的な方向に配置するために、手術者には、高度な技術を要求されるという問題があった。
【００１０】
以上のように、従来の骨盤矯正プレートは、自由度が高い反面、簡単に安定した骨盤矯正を行うことが困難であった。
【００１１】
さらに、前述のように、腸骨および坐骨との接触面積が小さいことや、接触していない部分に、間隔を有するため、固着して骨盤矯正が完了するまでに必要な治癒期間が長いという問題があった。
【００１２】
【特許文献１】米国特許第５９０４６８４号公報
【発明の開示】
【発明が解決しようとする課題】
【００１３】
本発明の目的は、犬の成長期に生ずる股関節形成不全による股関節の亜脱臼を防ぐために行う３点骨盤骨切術に使用される骨盤矯正プレートにおいて、手術の簡略化に伴う安全性および確実性の向上と、矯正治癒期間の短縮化とが可能となる骨盤矯正プレートを提供することにある。
【課題を解決するための手段】
【００１４】
本発明の左側用または右側用の骨盤矯正プレートの一態様は、３点骨盤骨切術において、寛骨の骨切後に使用され、腸骨にスクリュウ固定する腸骨側部と、坐骨にスクリュウ固定する坐骨側部と、前記腸骨側部および前記坐骨側部を連結する接続部とからなる骨盤矯正プレートであり、前記腸骨側部および前記坐骨側部は、仙骨側が長く、仙骨と反対側が短い略三角形である。
【００１５】
さらに、前記腸骨側部および前記坐骨側部において、骨と接するそれぞれの面の略三角形は、３辺をそれぞれ延長して表れる頂点の角度α、βおよびγにより、α＝９０度、２０度≦β≦７０度、γ＝９０度−βであることが望ましい。
【００１６】
さらに、前記腸骨側部で腸骨と対向する面の３つの辺で表される平坦な三角形Ｓ１、および、前記坐骨側部で坐骨と対向する面の３つの辺で表される平坦な三角形Ｓ２は、三角形Ｓ１の辺ａ１と三角形Ｓ２の辺ａ２とが平行を維持して、三角形Ｓ１およびＳ２のなす角θを、１０度≦θ≦６０度とすることにより得られる状態の相対的位置関係に、前記腸骨側部および前記坐骨側部が配置されていることが望ましい。
【００１７】
本発明の左側用または右側用の骨盤矯正プレートの異なる態様は、３点骨盤骨切術において、寛骨の骨切後に使用され、腸骨にスクリュウ固定する腸骨側部と、坐骨にスクリュウ固定する坐骨側部と、前記腸骨側部および前記坐骨側部を連結する接続部とからなる骨盤矯正プレートであり、前記腸骨側部および前記坐骨側部は、仙骨側が長く、仙骨と反対側が短く、略円弧状に凹んだ端縁を有する。凹んだ端縁は、寛骨臼縁と所定距離を隔てるように、寸法付けられる。
【００１８】
さらに、前記腸骨側部で腸骨と対向する面Ｔ１、および、前記坐骨側部で坐骨と対向する面Ｔ２は、面Ｔ１およびＴ２のなす角θを、１０度≦θ≦６０度とすることにより得られる状態の相対的位置関係に、前記腸骨側部および前記坐骨側部が配置されていることが望ましい。
【００１９】
さらに、前記腸骨側部で腸骨と対向する面が、腸骨の凹状湾曲面に合う凸状湾曲面であり、前記坐骨側部で坐骨と対向する面が、坐骨の凸状湾曲面に合う凹状湾曲面であることが望ましい。
【００２０】
さらに、前記腸骨側部で腸骨と対向する面、および前記坐骨側部で坐骨と対向する面のそれぞれは、凹凸面加工または溝加工を施されていることが望ましい。
【００２１】
さらに、前記腸骨側部で腸骨と対向する面、および前記坐骨側部で坐骨と対向する面のそれぞれは、ハイドロキシアパタイトにより被覆されていることが望ましい。
【発明の効果】
【００２２】
本発明により、寛骨への調整固定範囲の拡大に伴い、安全で確実な固定が可能となり、手術時間の短縮が図れて、手術者の負担軽減と骨盤矯正プレートの寛骨への早期安定固定を行なうことができる。このように、治癒期間短縮の結果として、患犬への肉体的および精神的な負担軽減と、飼い主への負担軽減が可能となる効果を得られる。
【００２３】
また、腸骨側部および坐骨側部は、仙骨側が長く、仙骨と反対側が短く、寛骨臼縁と所定距離を隔てた略円弧状に凹んだ端縁を有することにより、周囲の組織、骨盤および骨盤矯正プレートの間に生じる空間を最小限に縮小させることが可能になるという顕著な効果を得ることができる。
【発明を実施するための最良の形態】
【００２４】
本発明について、図面を参照して説明する。
【００２５】
図１は、本発明の骨盤矯正プレートを適用した骨盤を示す平面図である。図２は、本発明の骨盤矯正プレートを適用した骨盤を示す側面図である。図３は、本発明の左側骨盤矯正プレートの一実施例を示す斜視図である。
【００２６】
本発明の骨盤矯正プレート（１）は、腸骨にスクリュウ固定する腸骨側部（２）と、坐骨にスクリュウ固定する坐骨側部（３）と、腸骨側部（２）および坐骨側部（３）を連結する接続部とからなる。腸骨側部（２）および坐骨側部（３）は、仙骨側の軸方向長さが長く、仙骨と反対側の軸方向長さが短い略三角形とする。骨盤矯正プレートおよび固定スクリュウの材質としては、周知技術のいずれかから選択するが、例えばチタンまたはチタン合金を例示することができる。
【００２７】
さらに、腸骨側部（２）で腸骨と対向する面が、腸骨の凹状湾曲面に合う凸状湾曲面（１４）であり、坐骨側部（３）で坐骨と対向する面が、坐骨の凸状湾曲面に合う凹状湾曲面（１５）である。具体的な凹状湾曲面および凸状湾曲面の形状としては、軸方向に直角な断面が円弧に近い形状である。円弧の半径などは、犬の種類や年齢により変化するので、数種類を用意することが好ましいが、曲率の若干の差異により生じる間隙は小さいので、一種類の形状で、多くの場合に適用することが可能になる。
【００２８】
３点骨盤骨切術時には、従来と同様に、寛骨の骨切後に、腸骨の凹状湾曲面に腸骨側部（２）の凸状湾曲面（１４）をあてて、坐骨の凸状湾曲面に坐骨側部（３）の凹状湾曲面（１５）をあてるだけで、相対的な位置関係を検討することなく、スクリュウ固定孔（１６、１７）に通した固定スクリュウで腸骨および坐骨に固定することができる。
【００２９】
また、凸状湾曲面（１４）と凹状湾曲面（１５）の相対的な位置関係が異なる数種類を用意することにより、坐骨側の開き具合を調整することができる。このような坐骨側の開き具合の調整により、寛骨臼への坐骨の被り量を増したり、減じたりすることができ、容易に骨盤の矯正が可能である。
【００３０】
また、略三角形状であることから、寛骨臼縁（１８）との間を広く隔てることができて、安全で確実に、固定作業をすることができる。
【００３１】
図４に、実施例の左側用の骨盤矯正プレートを正面図で示した。
【００３２】
さらに、腸骨側部（２）および坐骨側部（３）において、骨と接するそれぞれの面の略三角形は、３辺をそれぞれ延長して表れる頂点の角度（α、β、γ）により、α＝９０度、２０度≦β≦７０度、γ＝９０度−βとする。
【００３３】
１つを直角とすることにより、仙骨側を揃えることができ、他の２つを２０度〜７０度とすることにより、寛骨臼縁などにあたらず、十分な強度を得ることができる。
【００３４】
図５に、実施例の左側用の骨盤矯正プレートを側面図で示した。
【００３５】
腸骨側部（２）で腸骨と対向する面（１４）の３つの辺で表される平坦な三角形（Ｓ１）、および、坐骨側部（３）で坐骨と対向する面（１５）の３つの辺で表される平坦な三角形（Ｓ２）は、三角形（Ｓ１）の辺（ａ１）と三角形（Ｓ２）の辺（ａ２）とが平行を維持して、三角形（Ｓ１）および（Ｓ２）のなす角（θ）を、１０度≦θ≦６０度とすることにより得られる状態の相対的位置関係に、腸骨側部（２）および坐骨側部（３）が配置される。
【００３６】
角度は、前述の範囲内から決定され、３点骨盤骨切術の際に最適な角度を選択することが容易となるように、数種類を用意する。
【００３７】
以上、説明した本発明の一実施例では、スクリュウ固定孔（１６）が腸骨側部（２）に３つと、スクリュウ固定孔（１７）が坐骨側部（３）に３つであるが、数については３つずつ以上であればよい。さらに、スクリュウ固定孔（１６、１７）の数および位置については、特に限定されない。
【００３８】
さらに、腸骨側部（２）で腸骨と対向する面（１４）、および坐骨側部（３）で坐骨と対向する面（１５）のそれぞれに、凹凸面加工または溝加工を施す。加工に関する方法および仕様は、周知技術のいずれかから選択する。これらのような加工により、接触面積を増大することができ、骨盤矯正プレートを、寛骨へ早期に安定して固定することが可能となる。
【００３９】
さらに、腸骨側部（２）で腸骨と対向する面（１４）、および坐骨側部（３）で坐骨と対向する面（１５）のそれぞれに、ハイドロキシアパタイトを被覆する。このような処理を行うことにより、ハイドロキシアパタイトが寛骨に吸収置換されて、骨盤矯正プレートを、寛骨へ早期に固定することが可能となる。
【００４０】
本発明の骨盤矯正プレートの異なる実施例を、図６に示した正面図を参照して説明する。
【００４１】
本実施例の骨盤矯正プレート（１９）の腸骨側部（２０）および坐骨側部（２１）は、仙骨側が長く、仙骨と反対側が短く、寛骨臼縁と所定距離を隔てた略円弧状に凹んだ端縁（２４）を有することが、前述の実施例の骨盤矯正プレート（１）と異なる。このような形状とすることにより、周囲の組織、骨盤および骨盤矯正プレートの間に生じる空間を最小限に縮小させることが可能になる。
【図面の簡単な説明】
【００４２】
【図１】本発明の骨盤矯正プレートを適用した骨盤を示す平面図である。
【図２】本発明の骨盤矯正プレートを適用した骨盤を示す側面図である。
【図３】本発明の左側用の骨盤矯正プレートの一実施例を示す斜視図である。
【図４】図３に示した左側用の骨盤矯正プレートを示す正面図である。
【図５】図３に示した左側用の骨盤矯正プレートを示す側面図である。
【図６】本発明の左側用の骨盤矯正プレートの異なる実施例を示す正面図である。
【図７】従来の左側用の骨盤矯正プレートを示す斜視図である。
【符号の説明】
【００４３】
１、１９  左側用の骨盤矯正プレート
２、６、２０  腸骨側部
３、７、２１  坐骨側部
４  固定スクリュウ
５  右側用の骨盤矯正プレート
８  左側腸骨
９  右側腸骨
１０  左側坐骨
１１  右側坐骨
１２  仙骨
１３  左側寛骨臼
１４  腸骨接触面
１５  坐骨接触面
１６、１７、２２、２３  固定スクリュウ孔
１８  左側寛骨臼縁
２４  端縁
２５  骨盤矯正プレート
２６  腸骨側部
２７  坐骨側部
２８  腸骨接触面
２９  坐骨接触面
３０、３１  固定スクリュウ孔
Ｓ１、Ｓ２  面
ａ１，ａ２  辺
α、β、γ、θ  角度
【図１】
0004489053.tif 000002
【図２】
0004489053.tif 000003
【図３】
0004489053.tif 000004
【図４】
0004489053.tif 000005
【図５】
0004489053.tif 000006
【図６】
0004489053.tif 000007
【図７】
0004489053.tif 000008